【事件の表示】
　特願２００１−１４１６５１「カラー画像形成装置」拒絶査定不服審判事件〔平成１４年１１月２９日出願公開、特開２００２−３４１６１６〕について、次のとおり審決する。
【結　論】
　本件審判の請求は、成り立たない。
【理　由】
１．手続の経緯・本願発明
　本願は、平成１３年５月１１日の出願であって、請求項１ないし請求項６に係る発明は、平成２０年７月１４日付けの手続補正により補正された特許請求の範囲の請求項１ないし請求項６に記載された事項により特定されるとおりのものであるところ、その請求項１ないし請求項３に係る発明（以下、それぞれ、「本願発明１」、「本願発明２」、「本願発明３」という。）は、以下のとおりである。（下線は当審で付与。）
　
「【請求項１】それぞれが個別の感光体を備えた複数の画像形成部であって、黒色の画像情報に基づく画像形成プロセスを実行する黒用の画像形成部と、減法混色の３原色のそれぞれの画像情報に基づく画像形成プロセスを実行するカラー用の画像形成部と、からなる複数の画像形成部を備え、画像形成要求の入力時に、原稿から読み取った画像データに基づいて前記黒用の画像形成部のみ、又は前記複数の画像形成部の全てを用いて画像形成を行うカラー画像形成装置において、
　
各画像形成要求に係る全原稿の画像である対象画像情報中の少なくとも一部にカラー画像情報を含むか否かを判別するための予備走査を行い、
　【請求項２】
前記対象画像情報がディジタル画像情報であり、前記制御手段がディジタル画像情報中におけるカラー画像情報の有無を検出する
　【請求項３】
前記対象画像情報がアナログ画像情報であり、対象画像情報がカラー画像情報を含むか否かの入力走査を受け付ける操作部を備え、前記制御手段が操作部における操作内容に基づいて対象画像情報中にカラー画像情報が含まれるか否かを判別する
　
２．引用例
　これに対して、当審からの平成２０年５月１２日付け拒絶理由通知書において引用され、本願出願前に頒布された刊行物である特開平１１−１０９７０６号公報（以下、「引用例１」という。）には、図面とともに、以下の事項が記載されている。（下線は当審で付与。）
　
（１ａ）「【特許請求の範囲】　
【請求項１】　複数の像担持体のそれぞれに各色の画像を形成し、これらを
転写ベルトもしくは当該転写ベルト上を搬送される転写材に転写して画像を形成するカラープリントモードとその中の一の像担持体を使用して画像を形成する単色プリントモードとが実行可能な画像形成装置であって、
カラープリントモードを実行する際には、転写ベルトと全ての像担持体とを接触させ、単色プリントモードを実行する際には、当該単色画像に関与する像担持体と転写ベルトとを接触させたまま、その他の像担持体と前記転写ベルトとを離間させる接離手段と
形成すべき画像のプリントモードを決定するプリントモード決定手段と
画像形成動作が可能となるまでの待機時間内に、その後に実行される画像形成に備えて、前記プリントモード決定手段の決定に基づき、予め前記接離手段による接離動作を実行させる接離動作制御手段とを備える
【請求項２】　
前記画像形成装置は、原稿画像を読み取る読取手段を備え、前記読取手段は、前記待機時間内に原稿を読み取ると共に、前記プリントモード決定手段は、前記読取手段によって読み取られた原稿画像から色情報を取得し、その色情報に基づいてプリントモードを決定する
【請求項３】　前記画像形成装置は、画像データを記憶する記憶手段を備え
ると共に、前記待機時間は、装置に生じたトラブル解消後に画像形成動作が可能になるまでの時間であって、前記プリントモード決定手段は、トラブル解消時に前記記憶手段に残っている画像データから色情報を取得し、その色情報に基づいてプリントモードを決定することを特徴とする請求項１記載の画像形成装置。
【請求項４】　前記画像形成装置は、形成された画像を転写材に熱定着する
ための定着手段を備え、前記待機時間は、当該定着手段の定着部が所定の定着温度に達するまでのウォームアップ時間であることを特徴とする請求項１ないし３のいずれかに記載の画像形成装置。」
　
（１ｂ）「【０００１】
【発明の属する技術分野】本発明は、カラー画像形成と単色画像形成との切り換えが可能なカラー複写機やカラープリンタなどの画像形成装置に関する。
【０００２】
【従来の技術】近年、パーソナルコンピュータの急速な普及などにより、オフィス内で使用される書類がカラー化する傾向にあり、プリント速度の速いフルカラー画像形成装置が要望されている。このようなフルカラー画像形成装置の分野では、転写ベルトに沿って感光体ドラムや転写器を中核とする画像形成ユニットを複数個配列し、それぞれの画像形成ユニットで形成した各色トナー像を、転写紙などの転写材上に重ね合わせて転写する、いわゆるタンデム方式のものが、主流となりつつある。
【０００３】このようなタンデム方式の画像形成装置は、一回の通紙でフルカラーの画像形成が行えるのでプリント処理の高速化が可能となるが、
その一方でモノクロの画像を形成する場合には、ブラックの画像形成ユニットのみを使用して画像形成されるので、その際、画像形成に関与しないシアン、マゼンタ、イエローの感光体ドラムも同様に回転するとすれば、画像を形成しないにもかかわらず、その周辺に配設されるクリーナ部材が無駄に摩耗し、あるいは現像ローラを介して現像器内のトナーが微少ながらも減少していくことになる
このときには、上記転写ベルトから離間した感光体ドラムの回転を停止させるようにしている
【０００４】このカラープリントモードと単色プリントモードの選択は、当該装置への電源投入後においては、定着部の定着ローラを所定の定着温度まで昇温させて（以下、「ウォームアップ」という。）、画像形成動作が可能となってから、操作者が操作パネル上のキーなどで入力したプリントモードの指定を受け付けて行われていた。
【０００５】
【発明が解決しようとする課題】しかしながら、上述の画像形成装置においては、ウォームアップ終了後に操作者が前記プリントモードを指定してプリントを開始するので、その際に転写ベルトが当該プリントモードに応じた位置になければ、その位置まで移動するのを待って１枚目の記録シートに対する画像形成が開始されることになる。
【０００６】従って、１枚目の記録シートのプリントが開始されてから当該記録シートに画像形成が行われ、その後熱定着されて当該装置外に排出されるまでのプリント動作に要する時間（以下、この時間を「ファーストプリントタイム」という。）が、転写ベルトの移動に要する時間、およびこの移動によって発生する振動の影響を受けることなく記録シートが安定走行するまでの時間分だけ長くなってしまい、ひいては全体のプリント処理速度が低下するという問題があった。
【０００７】本発明は、上述のような問題点に鑑みてなされたものであって、ウォームアップなどの待機時間終了直後に実行されるプリント動作において、ファーストプリントタイムをできるだけ短縮して、プリント処理速度をさらに高速化することが可能な画像形成装置を提供することを目的とする。」
　
（１ｃ）「【０００８】
【課題を解決するための手段】上記目的を達成するため、本発明は、
複数の像担持体のそれぞれに各色の画像を形成し、これらを転写ベルトもしくは当該転写ベルト上を搬送される転写材に転写して画像を形成するカラープリントモードとその中の一の像担持体を使用して画像を形成する単色プリントモードとが実行可能な画像形成装置であって、カラープリントモードを実行する際には、転写ベルトと全ての像担持体とを接触させ、単色プリントモードを実行する際には、当該単色画像に関与する像担持体と転写ベルトとを接触させたまま、その他の像担持体と前記転写ベルトとを離間させる接離手段と、形成すべき画像のプリントモードを決定するプリントモード決定手段と、画像形成動作が可能となるまでの待機時間内に、その後に実行される画像形成に備えて、前記プリントモード決定手段の決定に基づき、予め前記接離手段による接離動作を実行させる接離動作制御手段とを備える
【０００９】また、本発明は、前記画像形成装置が、原稿画像を読み取る読取手段を備え、前記読取手段は、前記待機時間内に原稿を読み取ると共に、前記プリントモード決定手段は、前記読取手段によって読み取られた原稿画像から色情報を取得し、その色情報に基づいてプリントモードを決定することを特徴とする。また、本発明は、前記画像形成装置が、画像データを記憶する記憶手段を備えると共に、前記待機時間は、装置に生じたトラブル解消後に画像形成動作が可能になるまでの時間であって、前記プリントモード決定手段は、トラブル解消時に前記記憶手段に残っている画像データから色情報を取得し、その色情報に基づいてプリントモードを決定することを特徴とする。
【００１０】また、本発明は、前記画像形成装置が、形成された画像を転写材に熱定着するための定着手段を備え、前記待機時間は、当該定着手段の定着部が所定の定着温度に達するまでのウォームアップ時間であることを特徴とする。」
　
（１ｄ）「【００１１】
【発明の実施の形態】以下、本発明に係る画像形成装置の実施の形態を、タンデム型のデジタルカラー複写機（以下、単に「複写機」という。）を例にして説明する。
（１）複写機全体の構成
図１は、本実施の形態に係る複写機の全体の構成を示す図である。
【００１２】同図に示すように、当該複写機は、大きく分けて、原稿を自動的に搬送する原稿自動搬送装置２と、搬送された原稿の画像を読み取るイメージリーダ部１０と、このイメージリーダ部１０で読み取った画像を記録シート上にプリントして再現するプリンタ部２０とから構成される。原稿自動搬送装置２は、原稿給紙トレイ３に載置された原稿を原稿搬送ベルトによってイメージリーダ部１０の原稿ガラス板（不図示）上に設定された所定の原稿読取位置まで搬送し、イメージリーダ部１０のスキャナによってスキャンされると、再び当該原稿を原稿搬送ベルトによって同図の右方向に送り、原稿排紙トレイ４上に排出する公知の装置である。
【００１３】イメージリーダ部１０は、原稿ガラス板（不図示）に載置された原稿の画像をスキャナを移動させて読み取る公知のものであって、スキャナに設置された露光ランプの照射により得られた原稿画像は、集光レンズにより結像され、さらに分光器によりレッド（Ｒ）、グリーン（Ｇ）、ブルー（Ｂ）の３種類の波長の光に分光されて、それぞれレッド用ＣＣＤイメージセンサ、グリーン用ＣＣＤイメージセンサ、ブルー用ＣＣＤイメージセンサに入射される。各ＣＣＤイメージセンサ（以下、「ＣＣＤセンサ」という）からの出力信号は、ＡＤ変換され、これにより原稿のＲ、Ｇ、Ｂの画像データが得られる。
【００１４】このイメージリーダ部１０で得られた各色成分毎の画像データは、制御部３０において各種のデータ処理を受け、更にシアン（Ｃ），マゼンタ（Ｍ），イエロー（Ｙ），ブラック（Ｋ）の各再現色の画像データに変換される（以下、シアン、マゼンタ、イエロー、ブラックの各再現色をＣ、Ｍ、Ｙ、Ｋと表し、各再現色に関連する構成部分の番号にこのＣ、Ｍ、Ｙ、Ｋを添字として付加する）。
【００１５】画像データは、制御部３０内の画像メモリ３３（図３参照）に各再現色ごとに格納され、記録シートの供給と同期して１走査ラインごとに読み出されてレーザダイオードの駆動信号となる。プリンタ部２０は、周知の電子写真方式により画像を形成するものであって、転写ベルト４１が張架されてなる記録シート搬送部４０と、転写ベルト４１に対向して記録シート搬送方向上流側（以降、単に「上流側」という）から搬送方向下流側（以降、単に「下流側」という）に沿って所定間隔で配置されたＭ、Ｃ、Ｙ、Ｋの各色の画像プロセス部５０Ｍ〜５０Ｋと、各画像プロセス部ごとに設けられた露光走査部６０Ｍ〜６０Ｋと、記録シート搬送部４０の上流側に記録シー
トを給送する給紙部７０と、下流側に配置された定着部８０とからなる。
」
　
（１ｅ）「【００２０】従動ローラ４３のほぼ下方の位置には、転写ベルト４１表面に当接して、転写ベルト４１上に付着した紙粉やトナー等を除去するクリーニングブレード４８が配設されている。なお、イメージリーダ部１０の前面の操作しやすい位置には、操作パネル９０が設けられており、ここから操作者がコピー開始の指示やコピー枚数の設定、
プリントモードの指定などのキー入力を行う
　
（１ｆ）「【００２４】揺動フレーム４６は、ソレノイド４７により上下動させられるようになっており、カラープリントモードを実行する時には、揺動フレーム４６を図の実線の位置に押し上げて全感光体ドラム５１Ｍ〜５１Ｋと転写ベルト４１の記録シート搬送面とを接触させる（このときの揺動フレーム４６の位置を、以下「非退避位置」という。）。一方、単色プリントモードを実行する際には、ソレノイド４７のロッド４７１を後退させて、揺動フレーム４６を下方に揺動させる。この際、補助ローラ４５は図示しない本体フレームに軸支されているので、図の波線で示すように補助ローラ４５より上流側の転写ベルトの搬送面のみが下方に傾き（このときの揺動フレーム４６の位置を、以下「退避位置」という。）、
ブラックの画像形成に関与しない感光体ドラム５１Ｍ〜５１Ｙと転写ベルト４１の搬送面を離間させることができる
これにより、単色プリントモード時に、感光体ドラム５１Ｍ〜５１Ｙを停止させても、転写ベルト４１との間で摩擦が生じたりせず、画像形成に悪影響を与えることなしに、当該感光体ドラムの感光面やその周辺部材の無駄な消耗を阻止することができる
　
（１ｇ）「【００２７】
画像信号処理部３２は、原稿をスキャンして得られたＲ、Ｇ、Ｂの電気信号をそれぞれ変換して多値デジタル信号からなる画像データを生成し、シェーディング補正を施してページ毎に原稿判別部３５に送出すると共に、さらにエッジ強調処理などの補正を行った後に、Ｃ、Ｍ、Ｙ、Ｋの再現色の画像データを生成して画像メモリ３３に出力し、上記画像データを各再現色ごとに格納させる
【００２８】一方、原稿判別部３５は、画像信号処理部３２から送出された原稿の画像データのうち、最初に読み取った原稿（１ページ目の原稿）の画像データをもとに当該原稿がカラー原稿であるか白黒原稿であるかを判別し、その結果を色情報としてＣＰＵ３１に送る。ＣＰＵ３１は、読み取った原稿のページ数と、画像メモリ３３への格納位置（アドレス）とをページ情報として相互に関連付けて、ＲＡＭ３７内の管理テーブルに格納する。さらに、前記原稿判別部３５によって判別された１ページ目の原稿の色情報を前記ページ情報と関連付けて格納する。」
　
（１ｈ）「【００３５】前記比較部３５６の所定値は、当該原稿がカラー原稿であるか否かをさらに厳格に判断するために、さらに小さな値、たとえば０．００１（０．１％）に設定してもよい。
（３）制御部３０による制御動作
図５は、複写機全体の制御動作のメインルーチン（不図示）のうち、電源スイッチ２１がＯＮされたときに実行される揺動フレーム４６の移動処理を中心とした制御動作のサブルーチンを示すフローチャートである。
【００３６】
操作者によって電源スイッチ２１がＯＮされると、ＣＰＵ３１は上述したように定着ローラ８０１に設けられた内部ヒータに給電して、ウォームアップを開始させる（ステップＳ１、Ｓ２）。
操作者が、ウォームアップ中に原稿自動搬送装置２の原稿給紙トレイ３に原稿をセットし、操作パネル９０上でコピー枚数などを入力後、コピー開始の指示を行うと（予約原稿）、ＣＰＵ３１はウォームアップが終了していなくても、その原稿を１ページ目から原稿ガラス板まで搬送させ、イメージリーダ部１０によって当該原稿画像の読み取りを実行させる（ステップＳ３、Ｓ４）
【００３７】読み取られた原稿の画像データは、上述したように画像信号処理部３２によって各種の補正処理を施されて画像メモリ３３に格納され、一方で原稿判別部３５によって１ページ目の原稿がカラー原稿であるか白黒原稿であるかを判別されて、その判別結果は色情報としてＲＡＭ３７の管理テーブルに格納される。
ＣＰＵ３１は、ＲＡＭ３７の管理テーブルを参照して１ページ目の原稿の色情報を取得し、当該１ページ目の原稿がカラー原稿の場合には、現在の揺動フレーム４６の位置を位置センサＳＥ１、ＳＥ２により検出し、退避位置にあればカラープリントモードに応じた位置、すなわち非退避位置に移動させて、転写ベルト４１の記録シート搬送面と全感光体ドラム５１Ｍ〜５１Ｋとを接触させる（ステップＳ５で「Ｙ」、ステップＳ６）
【００３８】
一方、当該１ページ目の原稿が白黒原稿の場合には、現在の揺動フレーム４６の位置を位置センサＳＥ１、ＳＥ２により検出し、非退避位置にあれば単色プリントモードに応じた位置、すなわち退避位置へ揺動フレーム４６を移動させて、転写ベルト４１の記録シート搬送面とブラックの画像形成に関与しない感光体ドラム５１Ｍ〜５１Ｙとを離間させる（ステップＳ５で「Ｎ」、ステップＳ７）
【００３９】ＣＰＵ３１は、定着部８０の定着ローラ８０１の表面温度が定着温度に達しているか否かを判断し、達していなければウォームアップを継続する（ステップＳ８で「Ｎ」）。一方、定着ローラ８０１の表面温度が定着温度に達すると、ウォームアップを終了し（ステップＳ８で「Ｙ」）、ウォームアップ中になされた操作者によるコピー開始の指示に従って、１ページ目の原稿に対するコピー動作をすぐに開始させて（ステップＳ９）、メインルーチンにリターンする。
【００４０】一方、ステップＳ３において予約原稿が設定されない場合には（ステップＳ３で「Ｎ」）、定着部８０の定着ローラ８０１の表面温度が定着温度に達しているか否かを判断し、達していなければウォームアップを継続すると共に、ステップＳ３に戻る（ステップＳ１０で「Ｎ」）。また、定着ローラ８０１の表面温度が定着温度に達すると、ウォームアップを終了し、操作者によってコピー開始の指示がなされるまで待機する（ステップＳ１０で「Ｙ」、ステップＳ１１）。
【００４１】
このように、ウォームアップ中に予約原稿が設定されると、セットされた原稿を読み取って１ページ目の原稿の色情報を入手し、その情報を基に１ページ目の原稿に対して実行するプリントモードを決定し、揺動フレーム４６をそのプリントモードに応じた位置（退避位置または非退避位置）にあらかじめ移動させておくので、ウォームアップが終了して１枚目の記録シートに画像形成する際に、揺動フレーム４６の移動に要する時間、およびこの移動によって発生する振動の影響を受けることなく記録シートが安定走行するまでの時間とを待つ必要がなくなって、ファーストプリントタイムを短縮できる
　
（１ｉ）「【００５０】
また、前記色情報は、画像メモリ３３内に残っていた画像データから取得するのではなく、例えば当該複写機がネットワーク接続された外部のパーソナルコンピュータ（ＰＣ）などからプリント指示を受けることによってプリント動作を実行することが可能な装置の場合には、電源スイッチ２１をＯＮした後のウォームアップ中に当該色情報をパーソナルコンピュータ（ＰＣ）などから取得し、その色情報をもとに最初にプリントする原稿のプリントモードを決定し、その結果から揺動フレーム４６を移動させるようにしてもよい
このようにすれば、画像メモリ３３に不揮発性メモリを使用しなくても色情報を取得でき、ウォームアップ中に揺動フレーム４６を最初にプリントするプリントモードに応じた位置に移動させることができる
　
（１ｊ）「【００５２】（４―３）
上記実施の形態においては、原稿をウォームアップ中に読み取って、１ページ目の原稿画像についてのみ色情報を取得し、その色情報を基にプリントモードを決定しているが、この色情報は読み取った原稿全てについて取得してＲＡＭ３７内の管理テーブルに原稿のページ数と共に関連付けて格納するようにしてもよい
このようにすれば、２ページ目以降の原稿についても管理テーブルを参照するだけで、原稿毎に実行すべきコピーのプリントモードを決定できるので、原稿自動搬送装置２の原稿給紙トレイ３にカラーと白黒原稿の混在した原稿束をセットして連続コピーすることが可能となる
　
（１ｋ）「【００５５】（４−５）
上記実施の形態においては、原稿をウォームアップ中に読み取って、１ページ目の原稿画像の色情報を取得し、その色情報を基にプリントモードを決定しているが、このプリントモードは操作者がウォームアップ中に操作パネル９０上のキーなどからの入力操作に基づき決定されるような構成であってもよい
このようにすれば、上述の制御部３０内の原稿判別部３５は不要となり、その分、制御部３０内の回路構成が簡単となる
　
（１ｌ）「【００５８】
【発明の効果】
以上説明したように、本発明によれば、形成すべき画像のプリントモードをプリントモード決定手段によって決定し、画像形成動作が可能となるまでの待機時間内に、その後に実行される画像形成に備え、前記決定されたプリントモードに基づいて予め接離手段による接離動作を実行するので、従来の、待機時間経過後に接離動作を実行し、それが終了してから画像形成を開始することに比べて、ファーストプリントタイムを短縮することができ、さらにプリント処理速度の高速化が可能となる
【００５９】また、
前記待機時間内に原稿を読取手段によって読み取って、その読み取られた原稿画像から色情報を取得し、その色情報に基づいて待機時間経過直後に実行すべきプリントモードを決定するので、プリントモードを操作パネルから手動で入力する必要がなくなり、かつ前記接離動作は待機時間内に実行されるので、待機時間経過直後に行われるコピーのファーストプリントタイムを短縮できる
　
（１ｍ）タンデム型のフルカラー複写機の全体の構成を示す図とされる【図１】は、以下に示すものである。
（１ｎ）複写機内の記録シート搬送部の構成を示す図であるとされる【図２】は、以下に示すものである。
（１０）制御部により実行される揺動フレーム移動処理の動作を示すフローチャートはとされる【図５】は、以下に示すものである。
　上記（１ｄ）の記載事項を参照すると、引用例１に記載のカラーデジタル複写機は、減法混色の３原色のそれぞれの画像情報に基づく画像形成プロセスを有していることがわかる。
　上記事項を考慮に入れて、前記摘記事項を総合して勘案すると、引用例１には、次の発明（以下、「引用例１発明」という。）が実質的に記載されている。
　
 「それぞれが個別の像担持体を備えた複数の画像プロセス部であって、ブラックの画像情報に基づく画像形成プロセスを実行するブラック用の画像プロセス部（５０Ｋ）と、減法混色の３原色のそれぞれの画像情報に基づく画像形成プロセスを有するカラー用の画像プロセス部（５０Ｍ，５０Ｃ，５０Ｙ）と、からなる複数の画像プロセス部を備え、画像形成要求の入力時に、原稿から読み取った画像データに基づいて前記ブラック用の画像形成部のみ、又は前記複数の画像形成部の全てを用いて画像形成を行うタンデム型のデジタルカラー複写機において、
　カラープリントモードによる画像形成動作を実行する際には、転写ベルトと全ての像担持体とを接触させ、単色プリントモードによるブラック画像の画像形成動作を実行する際には、当該ブラック画像に関与する像担持体を接触させたまま、その他の像担持体と前記転写ベルトを離間させ、形成すべき画像のプリントモードを決定し、複数枚の予約原稿の画像形成要求がなされてから実際に画像形成動作が実行されるまでの待機時間内に、複数枚の予約原稿の１ページ目の原稿画像から取得した色情報、パーソナルコンピュータなどによるプリント指示から取得した色情報、または、操作者の入力操作に基づいて、画像形成動作の開始時のプリントモードを決定し、１ページ目の原稿画像が単色プリントモードによるブラック画像形成動作が実行可能な状態、または、カラープリントモードによる画像形成動作が実行可能な状態にするための制御手段を備えたタンデム型のデジタルカラー複写機。」
　
３．本願発明１（前者）と引用例１発明（後者）との対比
　後者の「像担持体」、「画像プロセス部」、「ブラック」、「タンデム型のデジタルカラー複写機」は、それぞれ、前者の「感光体」、「画像形成部」、「黒」、「カラー画像形成装置」に相当する。
　また、両者は、「原稿画像の画像形成要求がなされたときに、所定の情報に基づいて、カラー画像の画像形成動作を実行可能とするのか、黒色画像のみの画像形成動作を実行可能とするのかを判断し、カラー画像の画像形成動作を実行可能とするときには、複数の画像形成部の全てが画像形成動作の実行が可能な状態に移行させた後にカラー画像の画像形成動作を実行させ、黒色画像のみの画像形成動作を実行可能とするときには、黒色の画像情報に基づく画像形成プロセスを実行する画像形成部のみを画像形成動作の実行が可能な状態に移行させた後に黒色画像の画像形成動作を実行させるための制御手段を備えている」点で共通するものということができる。
　したがって、両者は、
「それぞれが個別の感光体を備えた複数の画像形成部であって、黒色の画像情報に基づく画像形成プロセスを実行する黒用の画像形成部と、減法混色の３原色のそれぞれの画像情報に基づく画像形成プロセスを有するカラー用の画像形成部と、からなる複数の画像形成部を備え、画像形成要求の入力時に、原稿から読み取った画像データに基づいて前記黒用の画像形成部のみ、又は、前記複数の画像形成部の全てを用いて画像形成を行うカラー画像形成装
置において、
原稿画像の画像形成要求がなされたときに、所定の情報に基づいて、カラー画像の画像形成動作を実行可能とするのか、黒色画像のみの画像形成動作を実行可能とするのかを判断し、カラー画像の画像形成動作を実行可能とするときには、複数の画像形成部の全てが画像形成動作の実行が可能な状態に移行させた後にカラー画像の画像形成動作を実行させ、黒色画像のみの画像形成動作を実行可能とするときには、黒色の画像情報に基づく画像形成プロセスを実行する画像形成部のみを画像形成動作の実行が可能な状態に移行させた後に黒色画像の画像形成動作を実行させるための制御手段を備えているカラー画像形成装置。」
である点で一致し、以下の点で相違する。
　
（３−１）相違点１
　制御手段が所定の情報に基づいて、カラー画像の画像形成動作を実行可能とするのか、黒色画像のみの画像形成動作を実行可能とするのかを判断するのに際して、前者は、「各画像形成要求に係る全原稿の画像である対象画像情報中の少なくとも一部にカラー画像情報を含むか否かを判別するための予備走査を行い、前記対象画像情報中の少なくとも一部にカラー画像情報が含まれる場合」にカラー画像を形成可能とするものと判断し、「対象画像情報中にカラー画像情報が含まれない場合には黒色の画像情報に基づく画像形成プロセスを実行するのに対して、後者は、形成すべき画像がカラープリントモードのものであるか単色プリントモードであるのかを、複数枚の予約原稿の１ページ目の原稿画像から取得した色情報、パーソナルコンピュータなどによるプリント指示から取得した色情報、または、操作者の入力操作に基づいて決定するものである点
　
（３−２）相違点２
　制御手段がカラー画像を形成可能な状態、または、黒色画像のみを形成可能な状態に移行させるのに際して、前者は、カラー画像を形成可能な状態とするときには、「複数の画像形成部の全てで感光体の回転を伴う初期化処理を実行した後に画像形成に用いる画像情報を読み取るための主走査を行い」、黒色画像のみを形成可能な状態とするときには、「黒色の画像情報に基づく画像形成プロセスを実行する画像形成部のみで感光体の回転を伴う初期化処理を実行した後に画像形成に用いる画像情報を読み取るための主走査を行う」ものであるのに対して、後者は、「カラープリントモードを実行する際には、転写ベルトと全ての像担持体とを接触させて」カラー画像を形成可能な状態に移行させ、「単色プリントモードを実行する際には、当該単色画像に関与する像担持体を接触させたまま、その他の像担持体と前記転写ベルトを離間させる接離手段」により、黒色画像のみを形成可能な状態に移行させるものであり、感光体（像担持体）の回転を伴う初期化処理を実行することについては明記されていない点。
　
４．相違点についての判断
（４−１）相違点１について
　相違点１に係る、本願発明１の「各画像形成要求に係る全原稿の画像である対象画像情報中の少なくとも一部にカラー画像情報を含むか否かを判別するための予備走査を行い、」という事項が有する技術的意義が必ずしも明確でないので、本願発明１を引用するものであって、本願発明１の構成をさらに限定したものである本願発明２及び本願発明３において規定している事項と、本願明細書中の記載を参照することにより、上記事項の技術的意義を確認することとする。
　本願発明２は、前記「１．」で摘記したとおりであり、本願発明２に関して、本願明細書に以下の記載がある。
「【００５３】また、上記ディジタルカラー複写機において外部端末装置から入力された画像データに基づく画像形成プロセスを実行する場合や原稿読取部を備えていないプリンタにおいてもこの発明を同様に実施することができる。
但し、これらの場合には、原稿の画像の予備走査によって対象画像情報にカラー画像情報が含まれるか否かの判別を行なうことはなく、外部端末装置から画像データとともに入力されるカラー／モノクロの判別データに基づいて初期化処理をすべき画像形成ステーションを決定することになる
　また、本願発明３は、前記「１．」で摘記したとおりであり、本願発明３に関して、本願明細書に以下の記載がある。
「【００５２】なお、上記の実施形態では、ディジタルカラー複写機を例にあげて説明したが、アナログカラー複写機においてもこの発明を同様に実施することができる。
この場合に、原稿の画像面における反射光をレンズ及びミラーを介して感光体ドラムの表面に画像光として配光するアナログカラー複写機では、一般に、原稿の画像情報を読み取る読取素子を備えていないため、対象画像情報である原稿の画像中にカラー画像情報が含まれるか否かは、操作部におけるユーザの入力操作に基づいて判断することができる
　上記の事項を考慮すると、相違点１に係る、本願発明１の「各画像形成要求に係る全原稿の画像である対象画像情報中の少なくとも一部にカラー画像情報を含むか否かを判別するための予備走査を行い、」における「予備走査」は、全原稿を予め走査することのみを示すのではなく、
画像形成要求時における外部端末装置からの指令内容を走査したり
ユーザの入力操作を走査することを含むものである
　一方、引用例１発明は、「形成すべき画像がカラープリントモードのものであるか単色プリントモードであるのかを決定するプリントモード決定手段が、複数枚の予約原稿の１ページ目の原稿画像から取得した色情報、
パーソナルコンピュータなどによるプリント指示から取得した色情報
操作者の入力操作に基づいて、画像形成動作開始時のプリントモードを決定する
　してみると、相違点１は、実質的な相違点ではない。
　
（４−２）相違点２について
　画像形成装置において、感光体が画像形成動作を開始する前に感光体の回転を伴う初期化処理を実行させることは、例えば、特開昭５７−３２４６８号公報、特開昭６１−７０５６３号公報、特開昭６１−１４８４６０号公報、特開平１０−８３１３２号公報、特開平１１−９１２０５号公報、特開２０００−１７２１４７号公報に記載されているように、技術常識であって、引用例１発明に係る画像形成装置において、が図形成動作開始時に画像形成動作が行われる画像形成部（画像プロセス部）において、感光体（像担持体）の回転を伴う初期化処理を実行させることは、当然なされるべき事項である。
　また、引用例１発明は、デジタルカラー複写機に関するものであって、画像形成動作を実行する前に全原稿の画像情報を読み取るための主走査を行うことが可能なものではあるが、引用例１発明において、画像形成動作の実行時に画像形成に用いる画像情報を読み取るための主走査を行うようにして、相違点２に係る構成を有するものとすることは、当業者が適宜行う事項である。
　
（４−３）効果について
　本願発明１、及び、引用例１発明は、ともにＡＣＳ（Auto-Color-Selecter）に関するものであって、このようなものにおいて、黒色画像形成時に、黒色画像形成部のみ画像形成動作を行わせることにより、他の画像形成部の摩耗や現像剤の消耗を防止することは、前記「２．（１ｆ）」で摘記したように引用例１にも記載されており、例えば、特開平９−１７９３６９号公報、特開平１１−９５６１９号公報、特開平１１−２６５１３１号公報、特開２０００−３９８１６号公報、特開２００１−８８３５５号公報に記載されているように、本願出願前に周知の技術的事項である。
　してみると、本願発明１の感光体や現像剤の寿命の浪費を防止することができるというい効果は、引用例１に記載された事項や周知技術に基づいて当業者が容易に予想し得たものであって、格別なものではない。
　
（４−４）まとめ
　したがって、本願発明は、引用例１発明、及び、周知技術に基づいて、当業者が容易に発明をすることができたものである。
　
５．むすび
　以上のとおり、本願の請求項１に係る発明は、引用例１に記載された発明、及び、周知技術に基づいて、当業者が容易に発明をすることができたものであるから、特許法第２９条第２項の規定により特許を受けることができず、他の請求項に係る発明について検討するまでもなく、本願は拒絶すべきものである。
　よって、結論のとおり審決する。